(57)【要約】【課題】無線タグを利用して二次電池の充電回数を明確にし、二次電池の特性が劣化したことがユーザにわかり、二次電池が使用劣化によりすぐに使用不可となることを防止する携帯電子機器を提供する。【解決手段】データ読み書き部２０は無線タグ３２に格納されている電池を特定する情報及び電池の種類を含む情報を読み取り、ＣＰＵ２２はデータ読み書き部２０で読み取った電池を特定する情報及び電池種類を含む情報を認識する。ＣＰＵ２２は二次電池の場合に電池を特定する情報をもとにしてその電池が本携帯電子機器内で充電された回数をカウントし、記憶部８は充電回数を記憶する。ＣＰＵ２２は充電回数に応じて表示部２６に電池使用についての警告情報を表示させる。【選択図】  図１
2004349070.tif 000002
【特許請求の範囲】
【請求項１】
電池を電源として使用可能な携帯電子機器であって、
電池に取り付けられている無線タグに格納されている当該電池を特定すると共に当該電池の種類を含む情報を読み取る読み取り手段と、
前記読み取り手段で読み取った、電池を特定すると共に当該電池の種類を含む情報を認識する認識手段と、
本携帯電子機器内での電池が二次電池である場合に当該電池を充電することができる充電手段と、
本携帯電子機器内での電池が二次電池である場合に当該電池を特定する情報をもとに本携帯電子機器内での前記電池の充電回数を記憶する充電回数記憶手段と、
電池使用についての警告を表示する警告表示手段と、
充電回数に応じて前記警告表示手段に当該電池使用についての警告の情報を表示させる警告生成手段と、からなる携帯電子機器。
【請求項２】
電池を電源として使用可能な携帯電子機器であって、
電池に取り付けられている無線タグに格納されている当該電池を特定すると共に当該電池の種類を含む情報を読み取る読み取り手段と、
前記読み取り手段で読み取った、電池を特定すると共に当該電池の種類を含む情報を認識する認識手段と、
本携帯電子機器内での電池が二次電池である場合に当該電池を充電することができる充電手段と、
本携帯電子機器内での電池が二次電池である場合に当該電池を特定する情報をもとに本携帯電子機器内での前記電池の充電回数を記憶する充電回数記憶手段と、
携帯電子機器の消費する電力量を低減させるよう制御する電力制御手段と、
充電回数に応じて前記電力制御手段に前記消費する電力量を低減させるよう指示する電力低減指示手段と、からなる携帯電子機器。
【請求項３】
電池を電源として使用可能な携帯電子機器であって、
電池に取り付けられている無線タグに格納されている当該電池の種類及び当該電池の充電回数を含む情報を読み取る読み取り手段と、
前記読み取り手段で読み取った当該電池の種類及び当該電池の充電回数を含む情報を認識する認識手段と、
本携帯電子機器内での電池が二次電池である場合に当該電池を充電することができる充電手段と、
前記無線タグに当該電池の本携帯電子機器内での充電回数を書き込む書き込み手段と、
電池使用についての警告を表示する警告表示手段と、
充電回数に応じて前記警告表示手段に当該電池使用についての警告の情報を表示させる警告生成手段と、からなる携帯電子機器。
【発明の詳細な説明】
【０００１】
【発明の属する技術分野】
本発明は携帯電子機器に係り、特に電池を電源として使用可能な携帯電子機器に関する。
【０００２】
【従来の技術】
従来、デジタルカメラなどの携帯電子機器は、その携帯性から着脱可能な電池で作動できるものが多く、入手しやすい単三型電池が使用可能なものが多い。単三型電池には、一次電池のマンガン電池、アルカリ電池、リチウム電池、二次電池のニカド電池、ニッケル水素電池等、多くの種類がある。
【０００３】
携帯電子機器で二次電池を使用する場合、携帯電子機器自身で二次電池を充電する機能を持つものもあるが、二次電池の充電回数を明確にする手段がないため、それほど充電を繰り返していない電池と何百回も充電を繰り返した電池とを区別することができず、電池の充電回数はユーザが記憶するしかなかった。
【０００４】
そのため、充電回数が電池性能の限度近くになって二次電池の特性が劣化しても使用された場合、携帯電子機器の性能が劣化し故障したと勘違いされることがあった。
【０００５】
一方、近時は、その製品の情報を格納した無線タグを製品に取り付けて、読み取り器により当該無線タグの情報を読み取って製品管理などをすることが行われ始めている。
【０００６】
下記特許文献１は無線タグを使用した入出力管理用ＩＤカードや在庫管理システムに関する提案をしており、下記特許文献２は二次電池パックの識別手段を開示している。しかし、いずれも個々の電池の充電回数を明確にする手段はもっていない。
【０００７】
【特許文献１】
特開２０００−２２５７８号公報
【０００８】
【特許文献２】
特開平５−１３５８０４号公報
【０００９】
【発明が解決しようとする課題】
本発明は、上記の事実を考慮し、将来、電池にもその電池の情報を格納した無線タグが装備されることを期待して、無線タグを利用して二次電池の充電回数を明確にし、二次電池の特性が劣化したことがユーザにわかり、二次電池が使用劣化によりすぐに使用不可となることを防止する携帯電子機器を提供することを目的とする。
【００１０】
【課題を解決するための手段】
請求項１の本発明は、電池を電源として使用可能な携帯電子機器であって、
電池に取り付けられている無線タグに格納されている当該電池を特定すると共に当該電池の種類を含む情報を読み取る読み取り手段と、
前記読み取り手段で読み取った、電池を特定すると共に当該電池の種類を含む情報を認識する認識手段と、
本携帯電子機器内での電池が二次電池である場合に当該電池を充電することができる充電手段と、
本携帯電子機器内での電池が二次電池である場合に当該電池を特定する情報をもとに本携帯電子機器内での前記電池の充電回数を記憶する充電回数記憶手段と、
電池使用についての警告を表示する警告表示手段と、
充電回数に応じて前記警告表示手段に当該電池使用についての警告の情報を表示させる警告生成手段と、からなる携帯電子機器、からなる。
【００１１】
請求項１の本発明によれば、読み取り手段は無線タグに格納されている電池を特定する情報及び電池の種類を含む情報を読み取る。電池には無線タグが貼付、埋め込み等により取り付けられている。認識手段は、前記読み取り手段で読み取った電池を特定する情報及び電池の種類を含む情報を認識する。電池を特定する情報とは例えば本携帯電子機器で充電されたことがあるかなどの当該電池であることを特定するための情報をいい、電池の種類を含む情報とは一次電池、二次電池等の電池の種類を含む情報をいい、他に電池のメーカー名などの情報が入る場合もある。充電手段は、本携帯電子機器内での電池が二次電池である場合に当該電池を充電することができる。本携帯電子機器内での電池が二次電池であるかどうかは、前記読み取り手段及び前記認識手段によって明らかになる。充電回数記憶手段は、二次電池の場合に前記電池を特定する情報をもとにしてその電池が本携帯電子機器内で充電された回数を記憶する。警告生成手段は、充電回数に応じて警告表示手段に電池使用についての警告の情報を表示させる。二次電池の場合、充電回数が多くなると電池の容量が減っていき、使用可能時間が短くなる。その場合は電池を新しいものに交換する必要がでてくるので、新しい電池の購入を促すなどの警告の情報表示を行う。
【００１２】
請求項２の本発明は、電池を電源として使用可能な携帯電子機器であって、
電池に取り付けられている無線タグに格納されている当該電池を特定すると共に当該電池の種類を含む情報を読み取る読み取り手段と、
前記読み取り手段で読み取った、電池を特定すると共に当該電池の種類を含む情報を認識する認識手段と、
本携帯電子機器内での電池が二次電池である場合に当該電池を充電することができる充電手段と、
本携帯電子機器内での電池が二次電池である場合に当該電池を特定する情報をもとに本携帯電子機器内での前記電池の充電回数を記憶する充電回数記憶手段と、
携帯電子機器の消費する電力量を低減させるよう制御する電力制御手段と、
充電回数に応じて前記電力制御手段に前記消費する電力量を低減させるよう指示する電力低減指示手段と、からなる携帯電子機器、からなる。
【００１３】
請求項２の本発明によれば、読み取り手段は無線タグに格納されている電池を特定する情報及び電池の種類を含む情報を読み取る。電池には無線タグが貼付、埋め込み等により取り付けられている。認識手段は、前記読み取り手段で読み取った電池を特定する情報及び電池の種類を含む情報を認識する。電池を特定する情報とは例えば本携帯電子機器で充電されたことがあるかなどの当該電池であることを特定するための情報をいい、電池の種類を含む情報とは一次電池、二次電池等の電池の種類を含む情報をいい、他に電池のメーカー名などの情報が入る場合もある。充電手段は、本携帯電子機器内での電池が二次電池である場合に当該電池を充電することができる。本携帯電子機器内での電池が二次電池であるかどうかは、前記読み取り手段及び前記認識手段によって明らかになる。充電回数記憶手段は、二次電池の場合に前記電池を特定する情報をもとにしてその電池が本携帯電子機器内で充電された回数を記憶する。電力低減指示手段は、充電回数に応じて電力制御手段に消費する電力量を低減させるよう指示する。電力制御手段は、電力低減指示手段から消費電力量低減指示を受けて携帯電子機器の消費する電力量を低減させる。二次電池の場合、充電回数が多くなると電池の容量が減っていき、使用可能時間が短くなる。そこで消費電力量を低減させることにより電池の使用可能時間を長くする。
【００１４】
請求項３の本発明は、電池を電源として使用可能な携帯電子機器であって、
電池に取り付けられている無線タグに格納されている当該電池の種類及び当該電池の充電回数を含む情報を読み取る読み取り手段と、
前記読み取り手段で読み取った当該電池の種類及び当該電池の充電回数を含む情報を認識する認識手段と、
本携帯電子機器内での電池が二次電池である場合に当該電池を充電することができる充電手段と、
前記無線タグに当該電池の本携帯電子機器内での充電回数を書き込む書き込み手段と、
電池使用についての警告を表示する警告表示手段と、
充電回数に応じて前記警告表示手段に当該電池使用についての警告の情報を表示させる警告生成手段と、からなる携帯電子機器、からなる。
【００１５】
請求項３の本発明によれば、読み取り手段は無線タグに格納されている電池の種類及び当該電池の充電回数を含む情報を読み取る。電池には無線タグが貼付、埋め込み等により取り付けられている。認識手段は、前記読み取り手段で読み取った電池の種類及び当該電池の充電回数を含む情報を認識する。電池の種類の情報とは一次電池、二次電池等の電池の種類を含む情報をいい、電池の充電回数の情報とはその電池が何回充電されたかの情報をいう。これらの情報には、他に電池のメーカー名などの情報が入る場合もある。充電手段は、本携帯電子機器内での電池が二次電池である場合に当該電池を充電することができる。本携帯電子機器内での電池が二次電池であるかどうかは、前記読み取り手段及び前記認識手段によって明らかになる。書き込み手段は、二次電池の場合にその電池が本携帯電子機器内で充電された回数を無線タグに書き込む。警告生成手段は、充電回数に応じて警告表示手段に電池使用についての警告の情報を表示させる。二次電池の場合、充電回数が多くなると電池の容量が減っていき、使用可能時間が短くなる。その場合は電池を新しいものに交換する必要がでてくるので、新しい電池の購入を促すなどの警告の情報表示を行う。
【００１６】
【発明の実施の形態】
以下、添付図面に従って本発明に係る携帯電子機器として機能するデジタルカメラの好ましい実施の形態について説明する。
【００１７】
図１は、デジタルカメラ２のブロック図である。
【００１８】
このカメラ２は、画像の記録および再生機能を備えたデジタルカメラであり、カメラ２全体の動作は中央処理装置（ＣＰＵ）２２によって統括制御される。  ＣＰＵ２２は、所定のプログラムに従って本カメラシステムを制御する制御手段として機能するとともに、電池が二次電池であるときにデジタルカメラ２内で電池１６が充電された回数をカウントし、充電回数に応じて電池についての警告情報を表示させる警告生成手段として機能し、電池が二次電池であるときに充電回数に応じて消費電力量を低減させるよう指示する電力低減指示手段として機能する。
【００１９】
バス３５を介してＣＰＵ２２と接続されたＲＯＭ７には、ＣＰＵ２２が実行するプログラムおよび制御に必要な各種データ等が格納されている。なお、不揮発性記憶手段であるＲＯＭ７は書き換え不能なものであってもよいし、ＥＥＰＲＯＭのように書き換え可能なものでもよい。
【００２０】
また、記憶部８は、プログラムの展開領域およびＣＰＵ２２の演算作業用領域として利用されるとともに、画像データや音声データの一時記憶領域として利用され、ＣＰＵ２２でカウントしたデジタルカメラ２内での電池の充電回数を記憶する。
【００２１】
カメラ２には、モード選択スイッチ、撮影ボタン、メニュー／ＯＫキー、十字キー、キャンセルキーなどの操作釦３０が設けられている。これら各種の操作釦３０からの信号はＣＰＵ２２に入力され、ＣＰＵ２２は入力信号に基づいてカメラ２の各回路を制御し、例えば、レンズ駆動制御、撮影動作制御、画像処理制御、画像データの記録／再生制御、表示制御部２４を介しての表示部２６の表示制御、ストロボ制御部３６を介してのストロボ３４の制御などを行う。
【００２２】
モード選択スイッチは、静止画撮影モード、動画撮影モード、再生モードを切り換えるための操作手段である。
【００２３】
撮影ボタンは、撮影開始の指示を入力する操作ボタンであり、動画撮影においては録画開始（スタート）／停止（ストップ）ボタンとして機能し、静止画撮影においてはレリーズボタンとして機能する。撮影ボタンは、半押し時にＯＮするＳ１スイッチと、全押し時にＯＮするＳ２スイッチとを有する二段ストローク式のスイッチで構成されている。
【００２４】
メニュー／ＯＫキーは、表示部２６の画面上にメニューを表示させる指令を行うためのメニューボタンとしての機能と、選択内容の確定および実行などを指令するＯＫボタンとしての機能とを兼備した操作キーである。十字キーは、上下左右の４方向の指示を入力する操作部であり、メニュー画面から項目を選択したり、各メニューから各種設定項目の選択を指示したりするボタン（カーソル移動操作手段）として機能する。また、十字キーの上／下キーは撮影時のズームスイッチあるいは再生時の再生ズームスイッチとして機能し、左／右キーは再生モード時のコマ送り（順方向／逆方向送り）ボタンとして機能する。キャンセルキーは、選択項目など所望の対象の消去や指示内容の取消し、あるいは１つ前の操作状態に戻らせる時などに使用される。
【００２５】
電源スイッチ２８からの信号もＣＰＵ２２に入力される。
【００２６】
表示部２６は、カラー表示可能な液晶ディスプレイで構成されている。表示部２６は、撮影時に画角確認用の電子ファインダーとして使用できるとともに、記録済み画像を再生表示する手段として利用される。また、表示部２６は、ユーザインターフェース用表示画面としても利用され、必要に応じてメニュー情報や選択項目、設定内容、電池の充電回数警告などの情報が表示される。液晶ディスプレイに代えて、有機ＥＬなど他の方式の表示装置（表示手段）を用いることも可能である。表示制御部２４は、ＣＰＵ２２からの指令に基づいて、表示部２６で表示内容を表示させるための所定の動作を行なう。表示部２６は、その内側に配設されているバックライト４０が点灯することによって可視となる。バックライト４０の点灯及び明るさの制御は、ＣＰＵ２２からの指令に基づいて、バックライト制御部４２によって行われる。
【００２７】
デジタルカメラ２は、メディアソケット（メディア装着部）及びメディアコントローラを有する記録部１４を有し、メディアソケットには記録メディアを装着することができる。記録メディアの形態は特に限定されず、ＸＤ−ＰｉｃｔｕｒｅＣａｒｄ（登録商標）、スマートメディア（登録商標）に代表される半導体メモリカード、可搬型小型ハードディスク、磁気ディスク、光ディスク、光磁気ディスクなど、種々の媒体を用いることができる。メディアコントローラは、メディアソケットに装着される記録メディアに適した入出力信号の受渡しを行うために所要の信号変換を行う。
【００２８】
デジタルカメラ２の撮影機能について説明する。
【００２９】
モード選択スイッチによって静止画撮影モードまたは動画撮影モードが選択されると、ＣＣＤ固体撮像素子（以下ＣＣＤと記載）を含む撮像部４に電源が供給され、撮影可能な状態になる。
【００３０】
撮像部４はレンズユニットを含み、レンズユニットはフォーカスレンズを含む撮影レンズと絞り兼用メカシャッターとを含む光学ユニットである。レンズユニットは、ＣＰＵ２２によって制御されるレンズ駆動部、絞り駆動部によって電動駆動され、ズーム制御、フォーカス制御およびアイリス制御が行われる。
【００３１】
レンズユニットを通過した光は、ＣＣＤの受光面に結像される。ＣＣＤの受光面には多数のフォトダイオード（受光素子）が二次元的に配列されており、各フォトダイオードに対応して赤（Ｒ）、緑（Ｇ）、青（Ｂ）の原色カラーフィルタが所定の配列構造（ベイヤー、Ｇストライプなど）で配置されている。また、ＣＣＤは、各フォトダイオードの電荷蓄積時間（シャッタースピード）を制御する電子シャッター機能を有している。ＣＰＵ２２は、タイミングジェネレータ（図示せず）を介してＣＣＤでの電荷蓄積時間を制御する。なお、ＣＣＤに代えてＭＯＳ型など他の方式の撮像素子を用いてもよい。
【００３２】
ＣＣＤの受光面に結像された被写体像は各フォトダイオードによって入射光量に応じた量の信号電荷に変換される。各フォトダイオードに蓄積された信号電荷は、ＣＰＵ２２の指令に従いタイミングジェネレータから与えられる駆動パルスに基づいて信号電荷に応じた電圧信号（画像信号）として順次読み出される。
【００３３】
ＣＣＤから出力された信号は、画素ごとのＲ、Ｇ、Ｂ信号がサンプリングホールド（相関二重サンプリング処理）され、増幅される。その後、順次入力するＲ、Ｇ、Ｂ信号はデジタル信号に変換されて信号処理部６に出力される。
【００３４】
信号処理部６は、画像入力コントローラ（図示せず）を介して入力するデジタルの画像信号をＣＰＵ２２の指令に従って処理する。すなわち、信号処理部６は、同時化回路（単板ＣＣＤのカラーフィルタ配列に伴う色信号の空間的なズレを補間して色信号を同時式に変換する処理回路）、輝度・色差信号生成回路、ガンマ補正回路、輪郭補正回路、ホワイトバランス補正回路等を含む画像処理手段として機能し、ＣＰＵ２２からのコマンドに従って記憶部８を活用しながら所定の信号処理を行う。
【００３５】
なお、画像入力コントローラには、記憶部８のデータ読み出し制御、書き込み制御を行うメモリコントローラが含まれている。
【００３６】
信号処理部６に入力されたＲＧＢの画像データは、信号処理部６において輝度信号（Ｙ信号）および色差信号（Ｃｒ，Ｃｂ  信号）に変換されるとともに、ガンマ補正等の所定の処理が施される。信号処理部６で処理された画像データは記憶部８に格納される。
【００３７】
撮影画像を表示部２６にモニタ出力する場合、記憶部８から画像データが読み出され、バス３５を介して表示制御部２４に送られる。表示制御部２４は、入力された画像データを表示用の所定方式の信号（例えば、ＮＴＳＣ方式のカラー複合映像信号）に変換して表示部２６に出力する。撮影画像が表示部２６にモニタ出力されるときは、連動してバックライト４０が点灯する。撮影している間はバックライト４０は点灯している。再生中もバックライト４０は点灯しているが、再生している間、一定時間キー操作がないと節電のため消灯するようになっている。
【００３８】
電源スイッチ２８、操作釦３０の操作を受けてＣＰＵ２２は、電源制御部１２に電源を制御する制御信号を送り、電源制御部１２は電源回路１０を制御して電源回路１０は各ブロックへ必要な量の電源を供給する。
【００３９】
電源は、ＤＣ電源も使用可能だが、通常は電池が使用される。電池１６には、図３に示すように、当該電池の情報が格納されているチップ状の無線タグ３２が電池１６の長手方向中央部に埋め込まれている。無線タグ３２がもっている電池の情報は、一次電池か二次電池か、さらには、一次電池であればマンガン電池、アルカリ電池、リチウム電池であるか、二次電池であればニカド電池、ニッケル水素電池であるか、などの電池種類、当該電池のメーカー名、当該電池に固有の製造番号、などである。
【００４０】
無線タグ３２は、上記チップ状に限らず、電池の周囲に帯状に形成させたものでもよい。
【００４１】
データ読み書き部２０は、電池１６がデジタルカメラ２内の電池ボックスに収容されたときに、電池１６に埋め込まれた無線タグ３２を検知できる位置に配設されており、ＣＰＵ２２の指示に従ってその無線タグ３２を検知して当該電池の情報を読み取る。読み取った情報はＣＰＵ２２に送られる。ＣＰＵ２２は、読み取った電池情報から電池の種類、メーカー名、その電池固有の製造番号等を判別する。また、データ読み書き部２０は、デジタルカメラ２内で電池１６が充電された回数を、充電される都度、無線タグ３２に書き込む。
【００４２】
本形態のデジタルカメラ２は、電池ボックスに単三型電池を２本、長手方向を逆にした状態で収容するようになっている。図３に示すように、データ読み書き部２０は電池ボックスの内壁に形成されているが、電池ボックスの長手方向かつ幅方向の中央部に１箇所配設されている。これにより、１つのデータ読み書き部２０で２本の電池の無線タグ３２を検知できる。
【００４３】
この場合、データ読み書き部２０が１本目の電池の無線タグ３２を検知し、時間差で２本目の電池の無線タグ３２を検知する。ＣＰＵ２２は、検知した１本目電池の無線タグ３２に格納された電池情報及び検知した２本目電池の無線タグ３２に格納された電池情報を同時に受け取る。
【００４４】
なお、データ読み書き部２０は、電池ボックスの長手方向中央部の内壁に周状に形成させてもよい。こうすることにより、電池の長手方向中央部のどこにチップ状の無線タグ３２を取り付けても、データ読み書き部２０は容易かつ確実に無線タグ３２を検知することができる。
【００４５】
電池電圧検出部１８は、ＣＰＵ２２の指令に基づいて電池１６の電圧を検出する。電圧の検出結果はＣＰＵ２２に送られ、ＣＰＵ２２はその検出結果に基づいて所定の警告表示を生成したり電源をＯＦＦにする信号を生成したりする。
【００４６】
電池１６が二次電池の場合、電池充電部３８をＣＰＵ２２の指令に基づいて作動させることにより電池１６を充電することができる。この場合、別途、デジタルカメラ２に接続されたＤＣ電源から電力が供給される。電池充電部３８での充電が完了すると充電完了の情報がＣＰＵ２２に送られ、ＣＰＵ２２は充電回数１回をカウントする。カウントされた１回は記憶部８に送られ、記憶部８では累計充電回数が記憶される。
【００４７】
デジタルカメラ２において充電回数に応じた警告表示及び消費電力量低減の工程を説明する。
【００４８】
本実施の形態では、電池１６に取り付けられた無線タグ３２をデジタルカメラ２のデータ読み書き部２０が検知して電池情報を読み取ることにより、電池の種類及び充電回数に応じた警告表示及び消費電力量低減を図るものである。
【００４９】
以下にその流れを図２を用いて説明する。図２は、電池の種類を読み取って電池の種類及び充電回数に応じて警告表示及び消費電力量低減をする工程を示したフローチャートである。
【００５０】
まず、電源スイッチ２８をＯＮにする（ステップ５０）。データ読み書き部２０が電池１６の無線タグ３２を検出し、無線タグ３２に格納されている電池情報を読み取る（ステップ５２）。
【００５１】
読み取った電池情報から電池種類を判別する（ステップ５４）。これは、読み取った電池情報がＣＰＵ２２に送られ、ＣＰＵ２２が電池種類を判別して今使用している電池が例えばアルカリ電池なのかニッケル水素電池なのか他の種類の電池なのかを判別する。したがって、一次電池か二次電池かも自動的に判別される。
【００５２】
判別した結果、一次電池の場合はステップ６２に移行し、電源スイッチがＯＦＦになったかどうか判断される。判別した結果、二次電池の場合は、その電池の製造番号に基づいて記憶部８に記憶されているその製造番号の電池の充電回数を確認する。なお、無線タグ３２にその電池の充電回数の情報が格納されている場合は、上記工程を経なくても無線タグ３２の電池情報を読み取るだけで充電回数を確認することができる。
【００５３】
ステップ５４で電池の充電回数が電池性能の限度内である場合は、充電回数が電池性能の限度に近いかどうか判別する（ステップ５６）。限度に近くない場合は、電池充電回数に合わせた電源制御設定を行う（ステップ６０）。すなわち、電池充電回数がそれほど多くない場合は、▲１▼ストロボ３４の充電電流を低くして充電時間を遅くする。電池充電回数が普通程度の場合は、▲１▼に加えて▲２▼ＣＰＵ２２のクロック周波数を低くして処理速度を遅くする。電池充電回数が多い場合は、▲１▼、▲２▼に加えて▲３▼表示部（液晶モニター）２６のバックライト４０の電流を下げて暗くする。これらの動作を自動的に行う。この結果、消費電力量が低減して電池電圧の降下速度が遅くなる。なお、予め電池種類毎に電池種類に応じた電力低減動作をするよう設定することもできる。
【００５４】
なお、内部インピーダンスが高い電池種類の場合は、消費電力低減動作として、上記ステップ６０の動作に加えて周辺気温が低くなったときには更に表示部２６を自動的にＯＦＦにしてデジタルカメラ２が使用可能な状態を長くするよう設定することもできる。
【００５５】
なお、ステップ６０の電力低減動作をデジタルカメラ２が行わないようユーザが選択することもできる。これは、自動電源制御ＯＮ／ＯＦＦ設定を予めユーザが行うことによりなされる。この場合、自動電源制御ＯＮ／ＯＦＦ設定がされているかどうかを検出する機能をデジタルカメラ２に追加する。すなわち、ユーザの選択により、自動電源制御ＯＮ／ＯＦＦ設定がされた場合は、ステップ６０の直前に自動電源制御ＯＮ／ＯＦＦ検出の動作を入れる。自動電源制御ＯＮ検出の場合は、そのままステップ６０に移行する。自動電源制御ＯＦＦ検出の場合は、ステップ６０に移行しないでそのままステップ６２に移行する。ユーザが消費電力低減よりもデジタルカメラ２の上記ステップ６０の機能を通常通り発揮させることを優先したい場合があるためである。
【００５６】
ステップ６０の後は、電源スイッチがＯＦＦにされたかどうか判断し（ステップ６２）、ＯＦＦにされていない場合はステップ６２に戻る。ＯＦＦにされた場合はステップ６４に移行して電源がＯＦＦになる。
【００５７】
ステップ５４で電池の充電回数が電池性能の限度を越えている場合及びステップ５６で充電回数が電池性能の限度に近い場合は、表示部（液晶モニター）２６に充電回数警告表示をする（ステップ５８）。警告表示例としては、充電回数が電池性能の限度に近い場合は、図４（ａ）の表示が考えられる。充電回数が電池性能の限度を越えた場合は、図４（ｂ）の表示が考えられる。
【００５８】
ステップ５８の後は、前述のステップ６０に移行する。この場合、充電回数は電池性能の限度に近いかもしくは限度を越えているので、ステップ６０の▲１▼、▲２▼、▲３▼の各動作を同時に実行させる。これは、二次電池であるリチウムイオン電池の場合、充電回数が多くなってくると電池の容量が減っていくことにより使用可能時間が短くなる性質があるので特に有効である。
【００５９】
本実施の形態により、電池の種類及び充電回数により自動的にデジタルカメラに警告表示を行うため、電池の使用限界がユーザにわかりやすくなり、ユーザは新しい電池の用意ができると共にカメラの故障との勘違いをしなくて済むようになる。また、電池の使用限界を越えてデジタルカメラが使用された場合に低消費電力設定になることで電池の使用時間を長くでき、使用者が電池を交換し忘れてもしばらくは使用し続けることができる。
【００６０】
本実施の形態では、ステップ６０の電力制御設定として上述の▲１▼▲２▼▲３▼の３つの方法を挙げたが、上述３方法のどれか２つを組み合わせて採用することもできる。
【００６１】
なお、ステップ６０の設定がユーザの好みにより自動的に変更されることを防止する設定をすることもできる。
【００６２】
無線タグ３２にその電池の充電回数の情報が記憶されている場合は、デジタルカメラ２以外の充電器で充電した回数もわかるので、正確な警告表示、消費電力低減設定をすることができる。
【００６３】
本形態では、本発明が適用される対象をデジタルカメラとして説明したが、本発明は、デジタルカメラ以外の携帯電子機器に適用できることはもちろんである。
【００６４】
【発明の効果】
請求項１の本発明によれば、携帯電子機器内での電池の充電回数を記憶してその充電回数に応じて警告表示手段に電池使用についての警告情報を表示させるので、充電回数が電池性能の限界近くになったときは警告を表示して新しい電池の購入をユーザに促したり、充電回数が電池性能の限度を超えた場合は電池の交換を促すことができ、ユーザは電池の使用限界を知ることができて作動不良の場合に携帯電子機器の故障との勘違いをしなくて済む。
【００６５】
請求項２の本発明によれば、携帯電子機器内での電池の充電回数を記憶してその充電回数に応じて消費電力量を低減させるので電池の使用可能時間を長くすることができ、ユーザが電池を交換し忘れてもしばらくは使い続けることができる。
【００６６】
請求項３の本発明によれば、無線タグには電池の充電回数が格納されていてその充電回数に応じて警告表示手段に電池使用についての警告情報を表示させるので、充電回数が電池性能の限界近くになったときは警告を表示して新しい電池の購入をユーザに促したり、充電回数が電池性能の限度を超えた場合は電池の交換を促すことができ、ユーザは電池の使用限界を知ることができて作動不良の場合に携帯電子機器の故障との勘違いをしなくて済む。
【図面の簡単な説明】
【図１】デジタルカメラのブロック図。
【図２】電池の種類を読み取って電池の種類及び充電回数に応じて警告表示及び消費電力量低減をする工程を示したフローチャート。
【図３】電池上の無線タグを電池の長手方向中央に設けて単三型電池を２本、電池ボックス内に長手方向を逆にした状態で収容させ、かつ電池データ読み取り部を電池ボックスの長手方向かつ幅方向の中央部に１箇所配設した状態を示す図。
【図４】（ａ）は充電回数が電池性能の限度に近い場合の警告表示例、（ｂ）は充電回数が電池性能の限度を越えた場合の警告表示例。
【符号の説明】
２…デジタルカメラ、７・・・  ＲＯＭ、８・・・  記憶部、１０・・・  電源回路、１２・・・  電源制御部、１６・・・  電池、２０・・・  データ読み書き部、２２…ＣＰＵ、２４…表示制御部、２６…表示部、２８・・・  電源スイッチ、３２・・・  無線タグ、３４・・・  ストロボ、３６・・・  ストロボ制御部、３８・・・  電池充電部、４０・・・  バックライト、４２・・・  バックライト制御部
【図１】
2004349070.tif 000003
【図２】
2004349070.tif 000004
【図３】
2004349070.tif 000005
【図４】
2004349070.tif 000006